(57)【要約】【課題】エプロンの高さ調節を、簡単、迅速にでき、エプロンの取付作業に係る手間暇を軽減できるようにする。【解決手段】浴槽１のフランジ１ａの内側にエプロン２の上部２ａを差し入れ、フランジ１ａの下方箇所３にエプロン２の下部２ｂを固定する浴槽１のエプロン取付構造であって、エプロン２の下部２ｂの裏面に、縦断面ぎざぎざ状の噛み合わせ部４を形成する。この噛み合わせ部４を噛み合わせるエプロン高さ調節具７を、その噛み合わせ面７ａを洗い場８の側に向けてフランジ１ａの下方箇所３に設ける。エプロン２の下部２ｂをエプロン高さ調節具７に噛み合わせて取付ける。【選択図】      図１
2004229713.tif 000002
【特許請求の範囲】
【請求項１】
浴槽のフランジの内側にエプロンの上部が差し入れられ、フランジの下方箇所にエプロンの下部が固定される浴槽のエプロン取付構造であって、上記エプロンの下部の裏面に、縦断面ぎざぎざ状の噛み合わせ部が形成され、この噛み合わせ部が噛み合わされるエプロン高さ調節具が、その噛み合わせ面を洗い場の側に向けてフランジの下方箇所に設けられ、エプロンの下部がエプロン高さ調節具に噛み合わされていることを特徴とする浴槽のエプロン取付構造。
【請求項２】
請求項１記載の浴槽のエプロン取付構造であって、エプロンの噛み合わせ部とエプロン高さ調節具の位置に、エプロンの前方から止め具がねじ込まれ、この止め具でエプロンの下部がエプロン高さ調節具に固定されていることを特徴とする浴槽のエプロン取付構造。
【請求項３】
請求項１記載の浴槽のエプロン取付構造であって、エプロン高さ調節具の背面にばね板ナットが設けられ、このばね板ナットがエプロンの前方からねじ込まれる止め具の軸に嵌め付けられてエプロンの下部がエプロン高さ調節具に固定されていることを特徴とする浴槽のエプロン取付構造。
【発明の詳細な説明】
【０００１】
【発明の属する技術分野】
本発明は、エプロンが別体に形成されている浴槽のエプロン取付構造に関し、更に詳しくはエプロンの取付け高さを調節できるよう形成した浴槽のエプロン取付構造に関するものである。
【０００２】
【従来の技術】
従来この種の構造としては、例えば図１３に示されるように、床パンａの土手部ｂに固定する床パン側嵌合部品ｃと、この嵌合部品ｃに嵌合させるエプロン側嵌合部品ｄとを備えてなるものがある。この従来構造の場合は、エプロン側嵌合部品ｄの立ち上がり片ｅに縦長に形成されている長孔ｆを利用してエプロン側嵌合部品ｄとエプロンｇとのネジ止め位置を変え、これによりエプロンｇの高さを調節するものであった。
又従来、例えばエプロンの下端に略Ｌ字形の下部取付具を取付け、この下部取付具に対して上部取付具を高さ変更自在に取付け、上部取付具の高さを変えることで浴室床面の状況に応じてエプロンの取付け高さを調節可能に形成しているものも知られている（例えば特許文献１参照）。
【０００３】
【特許文献１】
実開平６ー３８７７５号公報
【０００４】
【発明が解決しようとする課題】
従来この種の構造は、上記の通り、エプロン側嵌合部品とエプロンとのネジ止め位置を、ネジを緩めて変更し、エプロンの取付け高さを調節する必要があった。又特許文献１記載の従来構造の場合も、作業者はエプロンの取付作業時に、下部取付具に対して上部取付具の高さを、ネジを緩めて調節する必要があった。
従って従来の構造では、エプロンの取付作業時に、ネジの締付け緩め操作を何回も行なってエプロンの高さ調節を行なう必要があったから、従来構造によると、エプロンの取付作業が面倒で、この種の作業に手間暇がかかる、という問題点があった。
【０００５】
本発明は、このような従来の問題点に鑑み、提案されたものである。
従って本発明の技術的課題は、エプロンの高さ調節を、簡単、迅速にでき、エプロンの取付作業に係る手間暇を軽減できるよう形成した浴槽のエプロン取付構造を提供することにある。
【０００６】
【課題を解決するための手段】
本発明は、上記の課題を解決するために、次のような技術的手段を採る。
【０００７】
即ち本発明は、図１等に示されるように、浴槽１のフランジ１ａの内側にエプロン２の上部２ａが差し入れられ、フランジ１ａの下方箇所３にエプロン２の下部２ｂが固定される浴槽１のエプロン取付構造であって、上記エプロン２の下部２ｂの裏面に、縦断面ぎざぎざ状の噛み合わせ部４が形成され、この噛み合わせ部４が噛み合わされるエプロン高さ調節具７が、その噛み合わせ面７ａを洗い場８の側に向けてフランジ１ａの下方箇所３に設けられ、エプロン２の下部２ｂがエプロン高さ調節具７に噛み合わされていることを特徴とする（請求項１）。
【０００８】
ここで、縦断面ぎざぎざ状とは、エプロン２の下部２ｂをエプロン高さ調節具７に噛み合わせたとき上下に位置ずれしないよう、縦方向に凹凸が交互に並んでいる状態を意味する。本発明の場合、噛み合わせ部４と、エプロン高さ調節具７の噛み合わせ面７ａは、噛み合わせ時にエプロン２が上下に位置ずれしない形状であれば任意である。具体的には、図８、図９に示されるように、鋸歯形（図８Ａ、Ｂ参照）、半円形（同図Ｃ参照）、方形歯形（同図Ｄ参照）等に形成される。鋸歯の場合は、切り込み角度ａ（図８Ａ、Ｂ参照）が適宜変更されるのでも良い。図８Ａの場合は、角度ａが６０度であり、同図Ｂの角度ａは４５度に選定されている。歯のピッチｂ（図８Ａ参照）は任意であり、歯の形状を変更することなく長く選定されるのでも良い（図９Ａ参照）。この場合、歯のピッチｂは、高さ調節を適切に行なうことができる状態に選定されるのが好ましい。又本発明の場合、噛み合わせ部４は、エプロン２の下部２ｂの裏面にエプロン２と一体成型されるのでも、或いは別体に形成されてエプロン２に後付けされるのでも良い。本発明の場合、噛み合わせ部４と、エプロン高さ調節具７の噛み合わせ面７ａの形成範囲（高さ、左右方向の長さ）は任意である。即ち噛み合わせ部４は、エプロン２の下部２ｂの裏面に、例えば横方向にわたって長く形成されるのでも、或いは一定の間隔をあけて部分的に形成されるのでも良い。そして本発明は、この噛み合わせ部４に対応させてエプロン高さ調節具７が配置されるものである。
【０００９】
而して本発明は、エプロン２の噛み合わせ部４とエプロン高さ調節具７の位置に、エプロン２の前方から止め具５がねじ込まれ、この止め具５でエプロン２の下部２ｂがエプロン高さ調節具７に固定されるのが好ましい（請求項２）。
【００１０】
なぜならこれによると、止め具５によってエプロン２をエプロン高さ調節具７に堅固に固定でき、上下の位置ずれを確実に防止できるからである。この場合、止め具５はねじ込み形であれば、その種類は任意である。
【００１１】
又本発明は、図１０〜図１２に示されるように、エプロン高さ調節具７の背面にばね板ナット１０が設けられ、このばね板ナット１０がエプロン２の前方からねじ込まれる止め具５の軸５１に嵌め付けられてエプロン２の下部２ｂがエプロン高さ調節具７に固定されるのが好ましい（請求項３）。
【００１２】
なぜならこれによると、エプロン２の前側から止め具５を押し込み、続いてねじ込むことで、ばね板ナット１０に止め具５を簡単に止め付けることができ、エプロン２の固定作業を迅速且つ楽にできるからである。
【００１３】
【発明の実施の形態】
以下、本発明の好適な一実施形態を添付図面に従って説明する。
【００１４】
本発明は、図１等に示されるように、浴槽１のフランジ１ａの内側にエプロン２の上部２ａが差し入れられ、フランジ１ａの下方箇所３としての例えば床材の土手部にエプロン２の下部２ｂが固定される構造である。４は、縦断面ぎざぎざ状の噛み合わせ部である。この噛み合わせ部４は、この実施形態ではエプロン２の下部２ｂの裏面に、止め具５の挿通孔６を介してその左右位置に（図２、図６等参照）、エプロン２と一体成型されて縦断面鋸歯状に歯を横向きにして形成されている。噛み合わせ部４は、図８Ａに示されるように、角度ａが６０度、ピッチｂが歯の山と谷で同一の状態に形成されている。
【００１５】
７は、エプロン２の噛み合わせ部４が噛み合わされるエプロン高さ調節具である。本発明では、このエプロン高さ調節具７にエプロン２の下部２ｂが噛み合わされてエプロン２が所定位置に取付けられるものである。エプロン高さ調節具７は、例えば金属材で形成され、鋸歯状の噛み合わせ面７ａを洗い場８の側に向けてフランジ１ａの下方箇所３としての床材の土手部に下片７ｂがあてがわれてネジ９で固定され、起立状に設けられている。又エプロン高さ調節具７は、噛み合わせ面７ａの上縁中央位置から縦方向に延びて切欠き７ｃがスリット状に形成され、この切欠き７ｃを利用して止め具５で噛み合わせ部４と固定可能に形成されている。
【００１６】
止め具５は、この実施形態ではエプロン２の前方からねじ込まれるねじ込み部５ａと、このねじ込み部５ａと螺合するボルト形部５ｂとで形成されている。ねじ込み部５ａは、頭部５ａ１にコインを係合させるスリット５ａ２が形成され、ボルト形部５ｂは軸５ｂ１がエプロン高さ調節具７の切欠き７ｃに通され、ボルト頭５ｂ２の内面がエプロン高さ調節具７の背面に当接されるものである。ねじ込み部５ａはエプロン２の前側から挿通孔６に通されて回され、ボルト形部５ｂの軸５ｂ１にねじ合わされる。これによりエプロン２の下部２ｂが、エプロン高さ調節具７に固定されるものである。
【００１７】
次にエプロン２を取付ける場合の一例を、図２、図３等に従って説明する。
先ず作業者は、エプロン２をフランジ１ａの内側に差し込み、次に高さを調節して噛み合わせ部４を、エプロン高さ調節具７の噛み合わせ面７ａに噛み合わせる。エプロン２は、これにより上下に位置ずれすることなく、浴槽１のフランジ１ａとその下方箇所３との間に配置される。
次に作業者は、エプロン２の挿通孔６からねじ込み部５ａを差し込み、このねじ込み部５ａを、エプロン高さ調節具７の後方から切欠き７ｃに軸５ｂ１を通して配置させるボルト形部５ｂに螺合させ、締め付ける。これによりエプロン２が、エプロン高さ調節具７に固定される。
【００１８】
以上の処において、本発明の場合、噛み合わせ部４の歯の形状や角度ａ、歯のピッチｂは任意である。そして本発明は、この噛み合わせ部４の態様に応じてエプロン高さ調節具７の噛み合わせ面７ａが形成される。この場合、噛み合わせ部４、噛み合わせ面７ａとも、エプロン２又はエプロン高さ調節具７に一体成型されるのでも、或いは別体に形成されて後付けされるのでも良い。図７に示される実施形態は、噛み合わせ部４が鉤形に形成され、エプロン２にネジ９で後付けされている実施例である。
【００１９】
又本発明は、図１０〜図１２に示されるように、エプロン高さ調節具７の背面に、ばね板ナット１０が設けられているのでも良い。ばね板ナット１０は、図１１に示されるように、ばね板片１０ａが隙間１０ｂの両側に左右一対状に形成されている。そしてこのばね板ナット１０は、エプロン高さ調節具７の切欠き７ｃ（図４等参照）に隙間１０ｂを対応させて設けられている。
【００２０】
この本発明の場合も、図１２に示されるように、作業者は先ずエプロン２をフランジ１ａの内側に差し込み、次に高さを調節して噛み合わせ部４を、エプロン高さ調節具７の噛み合わせ面７ａに噛み合わせる。そして作業者は、止め具５の軸５１を、エプロン２の挿通孔６、エプロン高さ調節具７の切欠き７ｃの順に通し、コイン等を利用して上記のばね板ナット１０の隙間１０ｂに止め具５の軸５１を押し回し、止め具５を締め付ける。この結果、ばね板片１０ａの縁が止め具５の軸５１の溝に食い込み、止め具５の軸５１にばね板ナット１０が嵌め付けられ、エプロン２がエプロン高さ調節具７に固定される。なおこの実施形態の場合は、このようにばね板ナット１０を利用しているため、エプロン２の取付け取外し操作を、洗い場８の側から容易に、しかも止め具５の螺合操作を何回行なってもねじ孔の拡大等を招くことなくできる。従ってこれによれば、エプロン２の裏側の浴槽１周りの掃除を、簡単に、又止め具５の締付け力を減退させることなく行なうことができる。
【００２１】
【発明の効果】
以上説明したように本発明は、エプロンの下部の裏面に、縦断面ぎざぎざ状の噛み合わせ部を形成し、この噛み合わせ部を噛み合わせるエプロン高さ調節具を、噛み合わせ面を洗い場の側に向けてフランジの下方箇所に設け、エプロンの下部をエプロン高さ調節具に噛み合わせているものである。
【００２２】
従って本発明の構造によれば、エプロンの高さ調節を、簡単、確実、迅速にでき、エプロンの取付作業に係る手間暇を軽減できる。
【図面の簡単な説明】
【図１】本発明構造の好適な一実施形態を示す一部を切欠した要部縦断面図である。
【図２】同上構造の要部分解斜視図である。
【図３】同上構造の要部分解縦断面図である。
【図４】エプロン高さ調節具を示し、Ａは背面図、ＢはＡのＢ―Ｂ線断面図、Ｃは正面図である。
【図５】同上構造の要部斜視図である。
【図６】エプロンの一部を切欠した要部背面図である。
【図７】噛み合わせ部の他の実施形態を示す要部縦断面図である。
【図８】Ａ〜Ｄとも、噛み合わせ部の凹凸形状を示す要部縦断面図である。
【図９】Ａ、Ｂともエプロン高さ調節具の噛み合わせ面の凹凸形状を示す要部縦断面図である。
【図１０】エプロン高さ調節具の他の実施形態を示す要部側面図である。
【図１１】ばね板ナットを示し、Ａは正面図、Ｂは平面図、Ｃは右側面図である。
【図１２】図１０の実施形態におけるエプロン取付例を説明するための要部分解斜視図である。
【図１３】従来の構造を示し、Ａは要部縦断面図、Ｂはエプロン側嵌合部品の側面図、Ｃはエプロン側嵌合部品の背面図である。
【符号の説明】
１    浴槽
１ａ  フランジ
２    エプロン
２ａ  上部
２ｂ  下部
３    下方箇所
４    噛み合わせ部
５    止め具
６    挿通孔
７    エプロン高さ調節具
７ａ  噛み合わせ面
８    洗い場
９    ネジ
１０  ばね板ナット
【図１】
2004229713.tif 000003
【図２】
2004229713.tif 000004
【図３】
2004229713.tif 000005
【図４】
2004229713.tif 000006
【図５】
2004229713.tif 000007
【図６】
2004229713.tif 000008
【図７】
2004229713.tif 000009
【図８】
2004229713.tif 000010
【図９】
2004229713.tif 000011
【図１０】
2004229713.tif 000012
【図１１】
2004229713.tif 000013
【図１２】
2004229713.tif 000014
【図１３】
2004229713.tif 000015